(57)【特許請求の範囲】
【請求項１】
初期設定用のサーバと通信を行って初期設定を実行する電子機器において、
前記初期設定用のサーバと通信を行う際に利用される第１の情報が記憶される記憶手段と、
少なくとも、契約者情報と、外部のサーバと通信を行う際に利用される第２の情報とが記憶されるメモリが装着される装着手段と、
前記装着手段に前記メモリが装着されたときに、前記メモリに記憶されている前記契約者情報を読み込んで認証作業を行う認証手段と、
前記認証手段により認証が完了した後に、前記初期設定が完了しているか否かを判断する判断手段と、
前記初期設定が完了していると前記判断手段により判断された場合に、前記記憶手段を参照して所定のフラグが記憶されているか否かを確認する確認手段と、
前記確認手段により、前記記憶手段に前記所定のフラグが記憶されていると確認された場合に、前記記憶手段に記憶されている前記第１の情報に基づいて前記初期設定用のサーバと通信を行って初期設定を行う初期設定手段と、を備える電子機器。
【請求項２】
前記確認手段により、前記記憶手段に前記所定のフラグが記憶されていると確認された場合に、前記メモリに記憶されている前記第２の情報を無効化する無効化手段を備える請求項１記載の電子機器。
【請求項３】
前記所定のフラグは、前記電子機器に対して修理がなされた際に前記記憶手段に記憶される請求項１又は２に記載の電子機器。
【請求項４】
前記初期設定手段は、
前記記憶手段に記憶されている前記第１の情報に基づいて前記初期設定用のサーバと通信を行い、前記外部のサーバと通信を行うための第２の情報を取得し、該取得した第２の情報を前記メモリに記憶させることにより初期設定を行う請求項１から３のいずれか１項に記載の電子機器。
【請求項５】
前記外部のサーバは、Ｗｅｂサーバである請求項１から４のいずれか１項に記載の電子機器。
【発明の詳細な説明】
【技術分野】
【０００１】
本発明は、外部サーバと通信が可能な電子機器に関する。
【背景技術】
【０００２】
電子機器の一つである携帯電話機は、契約者情報や電話番号等が記憶されているメモリ（例えば、ＵＩＭ（ＵｓｅｒＩｄｅｎｔｉｔｙＭｏｄｕｌｅ）カード）が挿入された状態において、主電源を投入することによって使用状態にすることができる。なお、メモリが挿入されていない状態で携帯電話機の主電源を投入した場合には、通話・通信機能等の使用が制限される。
【０００３】
また、このような携帯電話機においては、メールやＷｅｂページを閲覧する機能を利用する場合には、予め初期設定用サーバとの間において所定の初期設定が完了している必要がある。
【０００４】
携帯電話機は、所定の初期設定を行うことによって、Ｗｅｂサーバへアクセスするための接続情報（例えば、ＩＰアドレス，ＩＤ，パスワード等）を取得することができる。携帯電話機では、この取得した接続情報をＵＩＭメモリと内部キャッシュに書き込んでおき、当該初期設定後において、当該取得情報を参照することによりＷｅｂサーバへのアクセスが可能となる。また、例えば、特許文献１には、携帯電話機とＷｅｂサーバとの間におけるアプリケーションのダウンロードに関する技術が提案されている。
【０００５】
ところで、携帯電話機は、故障した場合には販売店（ショップ）において修理を行う。また、販売店において修理できない故障である場合には、メーカーの工場において修理が行われることになる。ここで、メーカーで修理される際には、個人情報の流出を防止する等の観点から、一般的に、当該携帯電話機の所有者又は販売店において当該メモリが携帯電話機から取り外されて保管される。
【０００６】
また、メーカーにおいて携帯電話機を修理する際においては、必要に応じて、メーカー所有の専用のメモリを当該携帯電話機に挿入する。また、メーカーでは、修理に際して、携帯電話機のＷｅｂ機能やメール機能を使用する必要がある場合には、ネット接続のための初期設定の手続きを行ってから、決められた接続先のサーバ（初期設定用サーバ）に接続し、初期設定の手続きを行う。
【０００７】
また、メーカーにより携帯電話機の修理が完了し、ユーザに戻すときには、当該携帯電話機の内部キャッシュからすべてのデータを消去し、改めて、初期設定サーバへのアクセスを行うための情報が書き込まれる。
【特許文献１】特開２００４−１９３７２２号公報
【発明の開示】
【発明が解決しようとする課題】
【０００８】
ここで、修理後の携帯電話機がユーザの手元に戻ってきたときに、ＵＩＭメモリが挿入されて主電源の投入が行われ、ユーザがＷｅｂサーバへアクセスする操作を行うと、本来であれば、改めて初期設定が必要になるので、初期設定用サーバへのアクセスが行われて所定の初期設定が実行されるはずであるが、ＵＩＭメモリにＷｅｂサーバへアクセスするための接続情報が書き込まれているため、当該初期設定が行われないという現象が生じてしまう。
【０００９】
これは、携帯電話機によって、内部キャッシュに書き込まれている初期設定サーバへのアクセスを行うための情報の一部が、ＵＩＭメモリに書き込まれているＷｅｂサーバへアクセスするための情報の一部によって上書きされてしまうためである。
【００１０】
したがって、携帯電話機は、初期設定が正しく実行されていないため、Ｗｅｂサーバへのアクセスやメールの機能を実行することができなくなってしまう。
【００１１】
本発明では、上述のような課題に鑑みてなされたものであり、その目的の一つは、初期設定を正しく実行することができる電子機器を提供することにある。
【課題を解決するための手段】
【００１２】
（１）本発明に係る電子機器は、上記課題を解決するために、初期設定用のサーバと通信を行って初期設定を実行する電子機器において、前記初期設定用のサーバと通信を行う際に利用される第１の情報が記憶される記憶手段と、少なくとも、契約者情報と、外部のサーバと通信を行う際に利用される第２の情報とが記憶されるメモリが装着される装着手段と、前記装着手段に前記メモリが装着されたときに、前記メモリに記憶されている前記契約者情報を読み込んで認証作業を行う認証手段と、前記認証手段により認証が完了した後に、前記初期設定が完了しているか否かを判断する判断手段と、前記初期設定が完了していると前記判断手段により判断された場合に、前記記憶手段を参照して所定のフラグが記憶されているか否かを確認する確認手段と、前記確認手段により、前記記憶手段に前記所定のフラグが記憶されていると確認された場合に、前記記憶手段に記憶されている前記第１の情報に基づいて前記初期設定用のサーバと通信を行って初期設定を行う初期設定手段と、を備える。
【００１３】
（２）本発明では、（１）の電子機器において、前記確認手段により、前記記憶手段に前記所定のフラグが記憶されていると確認された場合に、前記メモリに記憶されている前記第２の情報を無効化する無効化手段を備えることが好ましい。
【００１４】
（３）本発明では、（１）又は（２）の電子機器において、前記所定のフラグは、前記電子機器に対して修理がなされた際に前記記憶手段に記憶されることが好ましい。
【００１５】
（４）本発明では、（１）乃至（３）の電子機器において、前記初期設定手段は、前記記憶手段に記憶されている前記第１の情報に基づいて前記初期設定用のサーバと通信を行い、前記外部のサーバと通信を行うための第２の情報を取得し、該取得した第２の情報を前記メモリに記憶させることにより初期設定を行うことが好ましい。
【００１６】
（５）本発明では、（１）乃至（４）の電子機器において、前記外部のサーバは、Ｗｅｂサーバであることが好ましい。
【発明の効果】
【００１７】
本発明によれば、初期設定を正しく実行することができる。
【発明を実施するための最良の形態】
【００１８】
以下、本発明の実施の形態について説明する。図１は、本発明に係る電子機器の一例である携帯電話装置１の外観斜視図である。
【００１９】
図１に示すように、携帯電話装置１は、フロントケース２ａとリアケース２ｂとにより外面が形成される操作部側筐体部２と、フロントケース３ａとリアケース３ｂとにより外面が形成される表示部側筐体部３と、操作部側筐体部２と表示部側筐体部３とを連結するヒンジ機構４と、を備えて構成される。
【００２０】
操作部側筐体部２は、フロントケース２ａの表面側に露出するように配設される操作ボタン群１１と音声入力部１２とを有して構成される。操作ボタン群１１は、各種設定や電話帳機能やメール機能等の各種機能を作動させるための機能設定操作ボタン１３と、数字や文字が割り当てられ、電話番号入力時やメール作成時等における文字入力時に用いられる入力操作ボタン１４と、各種操作における決定やスクロール等を行う決定操作ボタン１５と、から構成されている。また、操作部側筐体部２の側面には、イヤホンコネクタキャップ１６と、外部機器（基地局）と通信を行うためのインターフェース（図示せず）を覆うキャップ１７とが設けられている。さらに、操作部側筐体部２の下端部には、充電用コネクタ（図示せず）を覆うキャップ１８ａと、一対の充電用接点部１８ｂとが設けられている。なお、音声入力部１２は、携帯電話装置１の使用者が通話時に発した音声を入力するために用いられる。
【００２１】
表示部側筐体部３は、各種情報を表示するためのディスプレイ２１と、通話の相手側の音声を出力する音声出力部２２とを有して構成される。また、表示部側筐体部３の上端部には、他の携帯電話装置等との間で赤外線通信を行うための通信部２３が設けられている。
【００２２】
ヒンジ機構４は、操作部側筐体部２と表示部側筐体部３とが相対的に動くようにこれらを連結しており、操作部側筐体部２と表示部側筐体部３とが互いに開いた使用状態（開放状態）と、操作部側筐体部２の表面と表示部側筐体部３の表面とが互いに向き合った格納状態（折畳み状態）とに切り替えることができるように構成されている。なお、本実施形態においては、通信機器の一例としてヒンジ機構４を介して操作部側筐体部２と表示部側筐体部３とが相対的に動く、いわゆる折り畳み式の携帯電話装置１を挙げているが、本発明は、折り畳み式ではなく、操作部側筐体部２と表示部側筐体部３とを重ね合わせた状態から一方の筐体を一方向にスライドさせるようにしたスライド式や、重ね合せ方向に沿う軸線を中心に一方の筐体を回転させるようにした回転式や、操作部側筐体部２と表示部側筐体部３とを２軸ヒンジを介して連結したもの、さらには、操作部側筐体部２と表示部側筐体部３とが一つの筐体に配置されたもの（いわゆる、ストレートタイプ）であっても適用可能である。
【００２３】
ここで、携帯電話装置１は、契約者情報や電話番号等が記憶されているメモリ（以下、ＵＩＭ（ＵｓｅｒＩｄｅｎｔｉｔｙＭｏｄｕｌｅ）カードと言う。）５０が挿入された状態において、主電源を投入することによって種々の特定の機能（例えば、通信機能等）が使用可能な状態になる。
【００２４】
また、ＵＩＭメモリ５０が挿入された携帯電話装置１においては、メールやＷｅｂページを閲覧する機能を利用する場合には、図２に示すように、予め初期設定用サーバ１００との間において所定の初期設定が完了している必要がある。ここで、携帯電話装置１の内部キャッシュには、予め、初期設定用サーバ１００にアクセスするための接続情報（本発明の第１の情報）（例えば、ＩＰアドレス１、ＩＤ１、パスワード１等）が書き込まれており、携帯電話装置１は、当該情報を参照して初期設定用サーバ１００にアクセスする。なお、キャッシュやメモリ等の記憶手段に情報を記憶することを、以下では「情報を書き込む」とも言う。
【００２５】
また、携帯電話装置１は、初期設定用サーバ１００にアクセスすることにより所定の初期設定を行い、Ｗｅｂサーバ２００へアクセスするための接続情報（本発明の第２の情報）（例えば、ＩＰアドレス２、ＩＤ２、パスワード２等）を取得することができる。携帯電話機では、この取得した接続情報をＵＩＭメモリ５０と内部キャッシュに書き込んでおき、当該初期設定後において、当該取得情報を参照することによりＷｅｂサーバ２００へのアクセスが可能となる（図３を参照）。また、Ｗｅｂサーバ２００へアクセスするための接続情報がＵＩＭメモリ５０に書き込まれることにより、ＵＩＭメモリ５０は、初期設定済みとなる。
【００２６】
ここで、携帯電話装置１は、故障した場合には販売店（ショップ）において修理を行う。また、販売店において修理できない故障である場合には、メーカーの工場において修理が行われることになる。ここで、メーカーで修理される際には、個人情報の流出を防止する等の観点から、一般的に、当該携帯電話機の所有者又は販売店においてＵＩＭメモリ５０が携帯電話装置１から取り外されて保管される。
【００２７】
また、メーカーにおいて携帯電話装置１を修理する際においては、必要に応じて、メーカー所有の専用のメモリを携帯電話装置１に挿入する。また、メーカーでは、修理に際して、携帯電話装置１のＷｅｂ機能やメール機能を使用する必要がある場合には、ネット接続のための初期設定の手続きを行ってから、初期設定用サーバ１００に接続し、初期設定の手続きを行う。
【００２８】
また、メーカーにより携帯電話装置１の修理が完了し、ユーザに戻すときには、当該携帯電話装置１の内部キャッシュからすべてのデータを消去し、改めて、初期設定用サーバ１００へのアクセスを行うための情報が書き込まれる。
【００２９】
本発明では、修理後の携帯電話装置１がユーザの手元に戻ってきたときに、初期設定済みのＵＩＭメモリ５０が挿入されて主電源の投入が行われ、例えば、Ｗｅｂサーバへアクセスするための操作が行われた際には、ＵＩＭメモリ５０に書き込まれている情報（修理前にＵＩＭメモリに書き込まれていたＷｅｂサーバへアクセスするための情報）を無効にし、内部キャッシュに書き込まれている情報に基づいて初期設定用サーバ１００へアクセスして、正しく初期設定を行う機能を有している。
【００３０】
ここで、当該機能を発揮するための構成について、図４に示す機能ブロック図を用いて説明する。携帯電話装置１は、内部キャッシュとしての記憶部３１（記憶手段）と、挿入部３２（挿入手段）と、認証部３３（認証手段）と、判断部３４（判断手段）と、確認部３５（確認手段）と、無効化部３６（無効化手段）と、を備える。
【００３１】
挿入部３２は、少なくとも、契約者情報と、初期設定用サーバ１００と通信を行う際に利用する情報や、外部のサーバであるＷｅｂサーバ２００にアクセスするための接続情報とが書き込まれるＵＩＭメモリ５０が挿入される。認証部３３は、挿入部３２にＵＩＭメモリ５０が挿入されて主電源の投入により起動状態になったときに、ＵＩＭメモリ５０に記憶されている契約者情報を読み込んで認証作業を行う。判断部３４は、認証部３３により認証が完了した後に、ＵＩＭメモリ５０に初期設定用サーバ１００と通信を行う際に利用する情報の有無によってＵＩＭメモリ５０の初期設定が完了しているか否かを判断する。なお、ＵＩＭメモリ５０は、挿入部３２に挿入されるのみではなく、挿入部３２が穴形状以外のインターフェースであり、このインターフェースにＵＩＭメモリ５０が装着される場合もある。
【００３２】
確認部３５は、判断部３４によりＵＩＭメモリ５０の初期設定が完了していると判断されたとき、記憶部３１を参照して所定のフラグが書き込まれているか否かを確認する。無効化部３６は、確認部３５により所定のフラグが書き込まれていることを確認したとき、ＵＩＭメモリ５０に書き込まれている初期設定用サーバ１００と通信を行う際に利用する情報を無効化する。
【００３３】
また、記憶部３１には、初期設定用サーバ１００と通信を行う際に利用する情報が記憶されている。また、携帯電話装置１は、図４に示すように、記憶部３１に記憶されている情報に基づいて初期設定用サーバ１００と通信を行って初期設定を行う初期設定部３７（初期設定手段）を備える。
【００３４】
このように構成されることにより、本発明では、修理後において、ＵＩＭメモリ５０に書き込まれている情報（修理前にＵＩＭメモリに書き込まれていたＷｅｂサーバへアクセスするための情報）を無効にし、記憶部３１に書き込まれている情報に基づいて初期設定用サーバ１００へアクセスして、正しく初期設定を行うことができる。
【００３５】
また、所定のフラグは、修理が行われた際に記憶部３１に書き込まれることが好ましい。このように構成されることにより、本発明では、修理後において、記憶部３１に書き込まれている所定のフラグの有無によってＵＩＭメモリ５０に書き込まれている情報を採用するか否かを判断することができる。
【００３６】
また、初期設定部３７は、記憶部３１に記憶されている情報に基づいて初期設定用サーバ１００と通信を行って初期設定を行うことにより、アプリケーションサーバ（例えば、Ｗｅｂサーバ２００）にアクセスする際に利用する情報を取得し、取得した情報を記憶部３１及びＵＩＭメモリ５０に書き込む。このように構成されることにより、本発明では、修理後に、改めて初期設定を行い、以降のアプリケーションサーバへのアクセスを可能にすることができる。
【００３７】
つぎに、上述した本発明に係る携帯電話装置１による強制的に初期設定を行う場合の方法手順について、図５のフローチャートを参照して説明する。
【００３８】
ステップＳ１において、主電源の投入後において、認証部３３は、挿入部３２にＵＩＭメモリ５０が挿入されているか否かを判断する。ＵＩＭメモリ５０が挿入されていると判断した場合（ＹＥＳ）には、ステップＳ２に進み、ＵＩＭメモリ５０が挿入されていないと判断した場合（ＮＯ）には、処理を終了する。
【００３９】
ステップＳ２において、認証部３３は、ＵＩＭメモリ５０に書き込まれている各種の情報に基づいて、所定の認証作業を行う。認証作業が完了した場合（ＹＥＳ）には、ステップＳ３に進み、認証作業が完了しない場合（ＮＯ）には、処理を終了する。
【００４０】
ステップＳ３において、判断部３４は、ＵＩＭメモリ５０が初期設定済みか否かを判断する。初期設定済みであると判断した場合（ＹＥＳ）には、ステップＳ４に進み、初期設定済みでない、すなわちＵＩＭメモリ５０が新規である場合（ＮＯ）には、処理を終了し、所定の初期設定を実行する。
【００４１】
ステップＳ４において、確認部３５は、記憶部３１を参照して所定のフラグ（以下、強制初期設定フラグと言う。）が書き込まれているか否かを確認する。強制初期設定フラグが書き込まれていることを確認した場合（ＯＮ）には、ステップＳ５に進み、強制初期設定フラグが書き込まれていないことを確認した場合（ＯＦＦ）には、処理を終了する。
【００４２】
ステップＳ５において、無効化部３６は、強制初期設定フラグをオフにする設定（具体的には、「００ｘ０」を記憶部３１の所定の領域に書き込む）にする。
【００４３】
ステップＳ６において、無効化部３６は、以前に書き込まれた情報（修理前にＵＩＭメモリ５０に書き込まれていたＷｅｂサーバ２００へアクセスするための情報）を消去する。本工程による無効化部３６は、具体的には、「ＢｒｅｗＳｕｂｓｃｒｉｂｅｒＩＤ」を初期化する。
【００４４】
また、初期設定部３７は、記憶部３１に記憶されている情報（初期設定用サーバ１００へのアクセスを行うための情報）に基づいて初期設定用サーバ１００にアクセスし、初期設定を実行する。
【００４５】
このようにして、本発明では、修理後において、ＵＩＭメモリ５０に書き込まれている情報（修理前にＵＩＭメモリに書き込まれていたＷｅｂサーバへアクセスするための情報）を無効にし、記憶部３１に書き込まれている情報に基づいて初期設定用サーバ１００へアクセスして、正しく初期設定を行うことができる。なお、電子機器として携帯電話装置を一例に挙げたが、ＰＤＡ、ＰＨＳ、ゲーム機、パーソナルコンピュータ、電子手帳等、その他の適宜な装置であっても良い。
【図面の簡単な説明】
【００４６】
【図１】本発明に係る携帯電話装置の外観を示す斜視図である。
【図２】初期設定用サーバにアクセスして行われる初期設定の説明に供する図である。
【図３】Ｗｅｂサーバへのアクセスに関する説明に供する図である。
【図４】本発明に係る携帯電話装置の機能を示すブロック図である。
【図５】本発明に係る携帯電話装置によって強制的に初期設定を行う際の手順についての説明に供するフローチャートである。
【符号の説明】
【００４７】
１  携帯電話装置
３１  記憶部（記憶手段）
３２  挿入部（装着手段）
３３  認証部（認証手段）
３４  判断部（判断手段）
３５  確認部（確認手段）
３６  無効化部（無効化手段）
３７  初期設定部（初期設定手段）
５０  ＵＩＭメモリ
【図１】
0005095483.tif 000002
【図２】
0005095483.tif 000003
【図３】
0005095483.tif 000004
【図４】
0005095483.tif 000005
【図５】
0005095483.tif 000006